(57)【要約】      （修正有）【課題】軽量で、解体時に収納するときの容量が小さく、組立て容易で、さらに、耐久性が高く長期間繰返し使用でき、耐水性が高く水で洗うことが可能な簡易男子トイレを提供する。【解決手段】プラスチック段ボールを主要な材料とする。正面板４を正面折曲線において折曲げることにより溝部４ｒを構成し、溝部４ｒの両端を塞ぐ左右の側板２、３を設ける。正面板４は複数の取付部４ｆ、４ｈ、４ｋと副貫取付部４ｇ、４ｍを有するものとし、面ファスナ８ａ、８ｃ、８ｄ、８ｂ、８ｅを使用して左右の側板２、３及び副木板３に取付ける。左右の側板２、３に側折曲線３ａ等を設け、副木板５により組付時に左右の側板２、３が折れて倒れることを防止する。また正面板４、左右の側板２、３を折畳み、箱や袋に入れた組立てキットとする。【選択図】図１
0003169311.tif 000002
【実用新案登録請求の範囲】
【請求項１】
２枚のシート部の間に空間を設け、適宜ピッチを明けて前記２枚のシート部を連結した断面形状を有するプラスチックの板材（以下単に「プラスチック段ボール」という。）からなる正面板、左側板及び右側板を組合わせた簡易男子トイレであって、
前記正面板は２箇所の正面折曲線を有するものとし、前記正面折曲線において折曲げることにより奥面、底面及び前面の３面からなる溝部を構成し、前記左側板及び前記右側板の２枚の側板により前記溝部の左右両側の開口を塞ぐ構成とし、
前記正面板は左右両側に本体から突出た複数の取付部を有するものとし、前記正面板の本体と前記取付部との間に縦折曲線を設けることにより、いずれの取付部も折曲げ可能に構成すると共に、
前記左右の側板はいずれも、前記正面板の前記取付部を貫通させる側貫通穴を有するものとし、前記取付部を前記側貫通穴にそれぞれ貫通させた状態で、前記側板の外側で前記取付部を折曲げ、前記正面板の前記取付部を前記側板にそれぞれ取付ける構成とし、
さらに、前記左右の側板に対する前記正面板の前記取付部の取付けを、脱着容易に構成したことを特徴とする簡易男子トイレ。
【請求項２】
請求項１に記載した簡易男子トイレであって、前記左側板と前記右側板はいずれも、上下方向の中央部に側折曲線を有するものとし、前記側折曲線に沿って副木板を取付け、さらに、前記側板と前記副木板を一緒に挟み把捉する、挟み具を取付けたことを特徴とする簡易男子トイレ。
【請求項３】
請求項２に記載した簡易男子トイレであって、前記副木板に副貫通穴を設け、前記正面板の前記取付部のいずれかが前記副貫通穴を貫通するよう構成し、前記副貫通穴を貫通させる前記取付部（以下「副貫取付部」という。）を前記副貫通穴に貫通させた状態で、前記副木板の外側で前記副貫取付部を折曲げ、前記副貫取付部を前記副木板に取付ける構成とし、さらに前記副木板に対する前記副貫取付部の取付けを、脱着容易に構成したことを特徴とする簡易男子トイレ。
【請求項４】
請求項１〜請求項３のいずれかに記載した簡易男子トイレであって、前記正面板の前記奥面に、ビニール袋の上部を掛け止めるための、繋止部を設けたことを特徴とする簡易男子トイレ。
【請求項５】
請求項４に記載した簡易男子トイレであって、前記正面板の前記奥面に切断部と倒折曲線を設け、前記奥面の一部を前記倒折曲線により折曲げてこれを折倒部とし、前記折倒部を繋止部としたことを特徴とする簡易男子トイレ。
【請求項６】
請求項１〜請求項５のいずれかに記載した簡易便器であって、プラスチック段ボールの材質がポリプロピレンであることを特徴とする簡易便器。
【請求項７】
請求項１〜請求項６のいずれかに記載した簡易便器であって、脱着容易に取付ける構成が、以下に記載したいずれか単種類の構成又はいずれか複数種類を併用した構成、であることを特徴とする簡易便器。
（ａ）面ファスナを使用した構成
（ｂ）はめ込み部と前記はめ込み部に挿入する取付部の組合せとした構成
（ｃ）ストッパに取付部を掛ける構成
（ｄ）ホックを使用した構成
（ｅ）ベルトとバックルの組合せとした構成
（ｆ）パッチン錠を使用した構成
【請求項８】
請求項１〜請求項７のいずれかに記載した簡易トイレを構成する正面板、左側板及び右側板をそれぞれ折畳み、さらに、副木板を並べて重ねた状態の層状体とし、前記層状体を箱又は袋に詰めたことを特徴とする、簡易男子トイレの組立てキット。
【考案の詳細な説明】
【技術分野】
【０００１】
本考案は災害時に緊急に使用したり、介護やレジャーなどの時に仮設して使用する簡易男子トイレに関するものである。
【背景技術】
【０００２】
従来から段ボールを使用した組立て式簡易男子トイレの発明があった（例えば特許文献１、２参照。）、しかしこれらの発明にかかる部品はいずれも複雑な形状をしており、段ボール板から部品を切出したり、部品を折曲げて立体形状にしたり、各部品を取付けて簡易便器を組立てることが困難となる問題があった。
また、板の状態にしたときに各部品が大きな面積を有するため、組立て前や解体したときにコンパクトに収容することができず、搬送時や収納時に大きなスペースを要する問題があった。
また、段ボールは耐久性に欠けるため、長期間に渡り何回も繰返して使用することができない問題があった。
さらに、段ボールは耐水性に欠けるため、雨の掛かる屋外での使用ができない問題があった。また、汚れが付着したときに水を掛けて洗うことができないため、清潔な状体を保つことができない問題があった。
【先行技術文献】
【特許文献】
【０００３】
【特許文献１】特開２００７−２０２７５５号公報
【特許文献２】特開２００９−２３３３３６号公報
【考案の概要】
【考案が解決しようとする課題】
【０００４】
本考案の目的は軽量で、組立て前や解体したときの容量が小さく、かつ、組立て容易な簡易男子トイレを提供することにある。
また耐久性が高く、安心して長期保存と長期にわたり繰返して使用することが可能な、簡易男子トイレを提供することにある。
さらに耐水性が高く、屋外での使用が可能であって、水に漬けて固着した汚物を溶かしたり、付着した汚物に水を掛けて洗い流したりすることが可能な、簡易男子トイレを提供することにある。
【課題を解決するための手段】
【０００５】
２枚のシート部の間に空間を設け、適宜ピッチを明けて２枚のシート部を連結した断面形状を有するプラスチックの板材（以下単に「プラスチック段ボール」という。）を主たる材料として使用する。
そして正面板を２箇所の折曲線において折曲げることにより溝部を構成し、溝部の左右両端を塞ぐ左側板と右側板を設ける。また、正面板は複数の取付部を有するものとし、折曲線を設けることにより取付部を折曲げ可能に構成し、左右の側板に正面板の取付部を貫通させるための穴を設ける。
さらに、正面板の取付部を左右の側板の穴に貫通させた状態で、側板の外側で取付部を折曲げて左右の側板に取付部を取付ける構成とし、左右の側板に対する正面板の取付部の取付けを脱着容易に構成する。
また、左右の側板に折曲線を設けて収容時に折畳むことを可能にすると共に、組立て時には副木板を取付けることにより、左右の側板が折れて倒れることを防止する。
【考案の効果】
【０００６】
プラスチック段ボールは傷が付きにくく劣化が極めて少ないので、気温や湿度の変化や使用環境の変化に耐え、長期にわたり使用することが可能である。このため、軽量でありながら耐久性の高い簡易男子トイレを得ることができた。
またプラスチック段ボールは耐水性が高いため、雨に濡れる屋外での使用が可能な簡易男子トイレを得ることができた。さらに、汚れたときに簡単に拭き取ることが可能であり、汚れが固着した場合は水に漬けて汚物を溶かしたり、付着した汚物に水を掛けて洗い流すことが可能な、耐水性の高い簡易男子トイレを得ることができた。
また、左右の側板や副木板に対する正面板の取付け、及び、左右の側板に対する副木板の取付けについて、いずれも脱着容易に構成したので、短時間の間に工具を使うことなく、また、特殊な技能を必要とせずに、人力だけで容易に組付け及び解体可能な簡易男子トイレを得ることができた。
正面板及び左右の側板を折畳み、他の部品と共に並べて重ねた状態の層状体とし、これを小さな箱や袋に詰めることを可能にしたので、コンパクトで搬送時と収納時に大きなスペースを要しない、簡易男子トイレの組立てキットを得ることができた。
【図面の簡単な説明】
【０００７】
【図１】簡易男子トイレの斜視図である。
【図２】簡易男子トイレの一部を切欠いた（２ａ、４ｒ）側面図である。
【図３】簡易男子トイレの側面視の断面図である。
【図４】正面板を展開して表した正面図である。
【図５】ビニール袋を取付けた状態を表した側面視の部分断面図である。
【図６】プラスチック段ボールの断面形状と折曲線を表した断面図である。
【考案を実施するための形態】
【０００８】
プラスチック段ボール９は図６に示したように、２枚のシート部９ｄの間に空間９ｆを設け、適宜ピッチを明けて連結部９ｅを設けた断面形状を有している。段ボールと異なり折曲げることが困難なため、折曲げる部分には適宜折曲線を設ける必要がある。
例えば、先端がＶ字形状の板を加熱して押付ける方法などにより、片方のシート部９ｄをＶ字形状に変形させ、Ｖ字形状の先端部を他方のシート部９ｄに溶着させた熱溶着折曲線９ａとすれば、プラスチック段ボール９を１８０度折返すことが可能であり、折曲げを繰り返しても破損することのない耐久性の高い折曲線を得ることができる。
また、先端がＶ字形状の板を押付ける方法などにより、片方のシート部９ｄをＶ字形状に変形させ、他方のシート部に届かない程度の深さのＶ字形状としたＶ字折曲線９ｂとすれば、６０度程度の折曲げが可能である。さらに、片方のシート部９ｄのみを切断してなる切込折曲線９ｃとすれば、切断した側には１２０度程度の折曲げ、切断していない側には１８０度折返すことが可能である。
通常のプラスチック段ボールは耐久性と耐水性を有するため、材質について特にこだわるものではないが、入手の容易性から材質がポリプロピレンのプラスチック段ボールを使用することが好ましい。
【０００９】
いずれもプラスチック段ボールを材料とした正面板、左側板及び右側板を組合わせた簡易男子トイレとする。また、正面板は水平方向の折曲線である正面折曲線を２箇所に有するものとし、正面折曲線において正面板を折曲げることにより奥面、底面及び前面の３面からなる溝部を構成する。正面折曲線は熱溶着折曲線９ａ又は切込折曲線９ｃからなる折曲線とすることが好ましい。そして、左右の側板により溝部の左右両側の開口を塞ぐ。
また、正面板は左右両側に本体から突出た複数の取付部を有するものとし、正面板の本体と取付部との間に、垂直方向の折曲線である縦折曲線を設けることにより、いずれの取付部も折曲げ可能に構成する。縦折曲線は熱溶着折曲線９ａ又は切込折曲線９ｃからなる折曲線とすることが好ましい。
そして左右の側板はいずれも、正面板の取付部を貫通させるための側貫通穴を有するものとし、取付部を側貫通穴に貫通させた状態で側板の外側で取付部を折曲げ、左右の側板にそれぞれ正面板の取付部を取付ける構成とする。さらに、左右の側板に対する正面板の取付部の取付けを脱着容易に構成する。  
【００１０】
また、簡易男子トイレであって左側板と右側板は、いずれも上下方向の中央部に側折曲線を有するものとし、側折曲線に沿って副木板を取付ける構成とする。さらに、側板と副木板の２枚の板を一緒にして挟み把捉する構成の挟み具を取付ける。
側折曲線を設けたのは、組付け前及び解体後に側板を二つ折りにして、小さな箱や袋に収納することを可能にするためである。そして副木板を取付けたのは、組立てた状態の側板が中央部で折れて倒れることを防止するためである。
挟み具としては、バネの力により挟みつまみの部分を摘むと開く開閉式のクリップや、つまみの部分を折り返すことにより、かさばらないように収まるダブルクリップなどを使用する構成が考えられる。しかし、単に断面がＵ字形状のはめ込み部を有する棒状の挟み具を使用すると、経済的であり構成の単純化の面でも好ましい。
さらに副木板に副貫通穴を設けると共に、正面板の取付部のいずれかが側貫通穴だけでなく副貫通穴も貫通するよう構成し、副貫通穴を貫通する取付部（以下「副貫取付部」という。）を、側貫通穴及び副貫通穴の両方に貫通させた状態で、副木板の外側で副貫取付部を折曲げ、副貫取付部を副木板に取付ける構成とする。さらに、副木板に対する副貫取付部の取付けを脱着容易に構成する。
脱着容易な構成とは、工具を使うことなく、また、特殊な技能を必要とせずに、人力だけで容易に組付け及び解体可能な構成のことをいう。
例えば、面ファスナを使用した構成、はめ込み部に取付部を挿入する構成、ストッパに取付部を掛ける構成、ホックを使用した構成、ベルトとバックルの組合せ、パッチン錠を使用した構成などとすることにより、工具を使うことなく、また、特殊な技能を必要とせずに、人力だけで組付け及び解体可能な構成にすることができる。
【００１１】
本考案にかかる簡易男子トイレは溝部にビニール袋を取付けて使用するものである。奥面や前面などに開閉式のクリップ又はダブルクリップを取付け、ビニール袋の上部をクリップに挟んで止めたり、接着テープなどを使って奥面や前面などにビニール袋の上部を仮止めする方法もあるが、奥面にビニール袋の上部を掛止めるための繋止部を設けることが好ましい。
そして繋止部を設ける場合は、正面板の奥面に切断部と倒折曲線を設け、奥面の一部を倒折曲線により折曲げてこれを折倒部とし、この折倒部を繋止部とすると単純な構成となり好ましい。倒折曲線は熱溶着折曲線、Ｖ字折曲線又は切込折曲線のいずれであっても構わない。プラスチック段ボール一枚の厚さでは強度が不足する場合は、折倒部に補強材を取付けた繋止部とすることも好ましい。
ビニール袋は奥面に設けた繋止部だけではなく、前面の端部を繋止部としてこれにも掛止めることが好ましい。繋止部に対するビニール袋の取付けには、開閉式のクリップやダブルクリップなどを使用する構成が考えられるが、断面がＵ字形状のはめ込み部を有する棒状の挟み具を使用することが、経済的にも構成の単純化の面でも好ましい。
また、簡易男子トイレを構成する正面板、左側板及び右側板をそれぞれ折畳み、さらに、必要な副木板を並べて重ねた状態の層状体とし、かかる層状体を箱又は袋に詰めた簡易男子トイレの組立てキットとする。
組付け前や使用後に解体した状態の全部品を箱又は袋に詰めてなる簡易男子トイレ組立てキットは、運搬時や保管時にスペースを取らず持運び安いからである。
【実施例１】
【００１２】
以下、本考案の簡易男子トイレの実施例１を図１〜図５に示し説明する。実施例１の簡易男子トイレ１は、いずれもポリプロピレンのプラスチック段ボールを使用した、正面板４、左側板２、右側板３及び２枚の副木板５からなっている。
正面板４の本体を展開した板は上下に長い長方形を有しており、水平方向に２本の正面折曲線４ｄ、４ｅを設け、２本の正面折曲線４ｄ、４ｅで区切られた面をそれぞれ奥面４ａ、底面４ｂ及び前面４ｃとした。正面折曲線４ｄ、４ｅは熱溶着折曲線９ａ又は切込折曲線９ｃのいずれであっても構わない。
さらに、本体から左右に突出させてそれぞれ３箇所の取付部４ｆ、４ｈ、４ｋと２箇所の副貫取付部４ｇ、４ｍを設けた。また、本体と取付部４ｆ、４ｈ、４ｋとの間及び本体と副貫取付部４ｇ、４ｍとの間に、それぞれ垂直方向に縦折曲線４ｕを設けた。縦折曲線４ｕは、熱溶着折曲線９ａ又は切込折曲線９ｃのいずれであっても構わない。さらに、取付部４ｆ、４ｈ、４ｋにそれぞれ面ファスナ８ａ、８ｃ、８ｄのフック側を、副貫取付部４ｇ、４ｍにそれぞれ面ファスナ８ｂ、８ｅのフック側を取付けた。
また、奥面４ａの一部を水平に切断した水平切断線と、水平切断線の両端から垂直下方向に切断した２本の垂直切断線とからなる切断部４ｎを設け、切断部４ｎの下側に倒折曲線４ｐを設けた。倒折曲線４ｐは熱溶着折曲線９ａ、Ｖ字折曲線９ｂ又は切込折曲線９ｃのいずれであっても構わない。
そして、切断した部分を倒折曲線４ｐにおいて折曲げこれを折倒部４ｔとした。そして折倒部４ｔ及び前面４ｃの端部の左右方向の中央部に、ポリプロピレンのプラスチック段ボールからなる補強板６ａ、６ｂをそれぞれ接着剤を使用して取付けた。
【００１３】
左側板２の上下方向の中央部に側折曲線２ａを、右側板３の上下方向の中央部に側折曲線３ａをそれぞれ設けて折曲げ可能な構成とした。左側板２と右側板３は左右対称の関係にある。重複した記載を避けるため、左側板２についてのみ以下に記載する。
左側板２に、正面板４の取付部４ｆ、４ｈ、４ｋ及び副貫取付部４ｇ、４ｍを貫通させる側貫通穴を設けた。そして、正面板４の取付部４ｆ、４ｈ、４ｋの取付け位置に合わせて面ファスナ８ａ、８ｃ、８ｄのパイル側を左側板２に取付けた。
さらに左側板２の下部には、本体から突出させて座板２ｂを設け、本体と座板２ｂの間に折曲線２ｄを設けて座板２ｂを折曲げた。折曲線２ｄは熱溶着折曲線９ａ又は切込折曲線９ｃのいずれであっても構わない。
副木板５は左側板２が側折曲線２ａによって、中央部で折れて倒れることを防ぐために副えた板である。左側板２の側折曲線２ａと副木板５の上下の中央位置を合わせるようにして、副木板５と左側板の２枚の板を並べ、断面がＵ字形状のはめ込み部を有するプラスチックの棒からなる挟み具７ａを使用し、挟み具７ａのはめ込み部に副木板５と左側板２の端部を一緒に挿入し、挟み具７ａにより副木板５と左側板２を一緒に挟み把捉することにより、左側板２に副木板５を取付ける構成とした。
さらに、副木板５に正面板４の副貫取付部４ｇ、４ｍを貫通させる副貫通穴を設けると共に、正面板４の副貫取付部４ｇ、４ｍの取付け位置に合わせて面ファスナ８ｂ、８ｅのパイル側を副木板５に取付けた。
【００１４】
簡易男子トイレ１を組付けるときは、正面板４を正面折曲線４ｄ、４ｅで折曲げることにより溝部４ｒを構成し、溝部４ｒの左右の開口を塞ぐようにして左側板２と右側板３を配置する。
さらに左側板２の側貫通穴に、正面板４の取付部４ｆ、４ｈ、４ｋ及び副貫取付部４ｇ、４ｍを貫通させて、縦折曲線４ｕにより取付部４ｆ、４ｈ、４ｋを折曲げ、取付部４ｆ、４ｈ、４ｋに取付けた面ファスナ８ａ、８ｃ、８ｄのフック側と左側板２に取付けた面ファスナ８ａ、８ｃ、８ｄのパイル側を合わせて密着させる。
また、副貫取付部４ｇ、４ｍが副木板５の副貫通穴を貫通するようにして、左側板２の側折曲線２ａに沿って副木板５を取付け、左側板２と副木板５の前側及び後側にそれぞれ挟み具７ａを取付け、挟み具７ａにより左側板２と副木板５を一緒に挟み把捉する。
さらに、副貫取付部４ｇ、４ｍを縦折曲線４ｕにより折曲げ、副貫取付部４ｇ、４ｍに取付けた面ファスナ８ｂ、８ｅのフック側と副木板６に取付けた面ファスナ８ｂ、８ｅのパイル側を合わせて密着する。そして、右側板３も左側板２と同様にして取付ける。
本実施例では面ファスナを使用したが、面ファスナに替えて、はめ込み部を設けこれに取付部を挿入する構成、ストッパを設けこれに取付部を掛ける構成、ホックのオスとメスを使用する構成、バックルとベルトを使用する構成、パッチン錠を使用する構成などとすることも可能である。
【００１５】
組立てた状態で、座板２ｂの座穴２ｃにプラスチックのペグを通して、プラスチックのペグを地面に打ち込めば簡易男子用トイレ１はさらに安定する。
簡易男子用トイレ１を使用するときは、溝部４ｒにビニール袋１０を取付ける。折倒部４ｔと補強板６ａの先端で、ビニール袋１０の上部の片側の端部１０ａを折返し、プラスチックの挟み具７ｂのＵ字形状のはめ込み部に、折倒部４ｔと補強板６ａとビニール袋の片側の端部１０ａを一緒に挿入し、挟み具７ｂにより折倒部４ｔと補強板６ａとビニール袋の片側の端部１０ａを一緒に挟み把捉する。
また、前面４ｃの端部の中央部と補強板６ｂの先端で、ビニール袋１０の上部の他側の端部１０ｂを折返し、挟み具７ｂのＵ字形状のはめ込み部に、前面４ｃの端部と補強板６ｂとビニール袋の他側の端部１０ｂを一緒に挿入し、挟み具７ｂにより前面４ｃの端部と補強板６ｂとビニール袋の他側の端部１０ｂを一緒に掴み把捉する。
簡易男子トイレ１を構成する正面板４、左側板２及び右側板３をそれぞれ折畳み、さらに、副木板５を並べて重ねた状態の層状体とし、これらを箱又は袋に詰めると、運搬時や保管時にスペースを取らず持運び安い簡易男子トイレ組立てキットとなる。
簡易男子用トイレ１を構成するプラスチック段ボールは耐水性が高いため、使用中に汚物が付着した場合や使用後に片付ける場合に、水に漬けたり水を掛けて洗うことが可能である。
【産業上の利用可能性】
【００１６】
本考案は、簡易男子トイレを製造販売する産業で利用されるだけでなく、自治体が災害時に避難所に設置したり、レジャー産業がキャンプ場などに設置したり、介護施設が被介護者の部屋に設置したりして利用することができる。
【符号の説明】
【００１７】
１  ：簡易男子トイレ      ２  ：左側板                  ２ａ：側折曲線
２ｂ：座板                ２ｃ：座穴                    ２ｄ：折曲線
３  ：右側板              ３ａ：側折曲線                ４  ：正面板
４ａ：奥面                ４ｂ：底面                    ４ｃ：前面
４ｄ：正面折曲線          ４ｅ：正面折曲線              ４ｆ：取付部
４ｇ：副貫取付部          ４ｈ：取付部                  ４ｋ：取付部
４ｍ：副貫取付部          ４ｎ：切断部                  ４ｐ：倒折曲線
４ｒ：溝部                ４ｔ：折倒部                  ４ｕ：縦折曲線
５  ：副木板              ６ａ：補強板                  ６ｂ：補強板
７ａ：挟み具              ７ｂ：挟み具                  ８ａ：面ファスナ
８ｂ：面ファスナ          ８ｃ：面ファスナ              ８ｄ：面ファスナ
８ｅ：面ファスナ          ９  ：プラスチック段ボール    ９ａ：熱溶着折曲線
９ｂ：Ｖ字折曲線          ９ｃ：切込折曲線              ９ｄ：シート部
９ｅ：連結部              ９ｆ：空間                  １０  ：ビニール袋
１０ａ：片側の端部        １０ｂ：他側の端部
【図１】
0003169311.tif 000003
【図２】
0003169311.tif 000004
【図３】
0003169311.tif 000005
【図４】
0003169311.tif 000006
【図５】
0003169311.tif 000007
【図６】
0003169311.tif 000008
【手続補正書】
【提出日】平成23年5月23日(2011.5.23)
【手続補正１】
【補正対象書類名】実用新案登録請求の範囲
【補正対象項目名】全文
【補正方法】変更
【補正の内容】
【実用新案登録請求の範囲】
【請求項１】
２枚のシート部の間に空間を設け、適宜ピッチを明けて前記２枚のシート部を連結した断面形状を有するプラスチックの板材（以下単に「プラスチック段ボール」という。）からなる正面板、左側板及び右側板を組合わせた簡易男子トイレであって、
前記正面板は２箇所の正面折曲線を有するものとし、前記正面折曲線において折曲げることにより奥面、底面及び前面の３面からなる溝部を構成し、前記左側板及び前記右側板の２枚の側板により前記溝部の左右両側の開口を塞ぐ構成とし、
前記正面板は左右両側に本体から突出た複数の取付部を有するものとし、前記正面板の本体と前記取付部との間に縦折曲線を設けることにより、いずれの取付部も折曲げ可能に構成すると共に、
前記左右の側板はいずれも、前記正面板の前記取付部を貫通させる側貫通穴を有するものとし、前記取付部を前記側貫通穴にそれぞれ貫通させた状態で、前記側板の外側で前記取付部を折曲げ、前記正面板の前記取付部を前記側板にそれぞれ取付ける構成とし、
さらに、前記左右の側板に対する前記正面板の前記取付部の取付けを、工具を使うことなく組付け及び解体可能（以下単に「脱着容易」という。）に構成したことを特徴とする簡易男子トイレ。
【請求項２】
請求項１に記載した簡易男子トイレであって、前記左側板と前記右側板はいずれも、上下方向の中央部に側折曲線を有するものとし、前記側折曲線に沿って副木板を取付け、さらに、前記側板と前記副木板を一緒に挟み把捉する、挟み具を取付けたことを特徴とする簡易男子トイレ。
【請求項３】
請求項２に記載した簡易男子トイレであって、前記副木板に副貫通穴を設け、前記正面板の前記取付部のいずれかが前記副貫通穴を貫通するよう構成し、前記副貫通穴を貫通させる前記取付部（以下「副貫取付部」という。）を前記副貫通穴に貫通させた状態で、前記副木板の外側で前記副貫取付部を折曲げ、前記副貫取付部を前記副木板に取付ける構成とし、さらに前記副木板に対する前記副貫取付部の取付けを、脱着容易に構成したことを特徴とする簡易男子トイレ。
【請求項４】
請求項１〜請求項３のいずれかに記載した簡易男子トイレであって、前記正面板の前記奥面に、ビニール袋の上部を掛け止めるための、繋止部を設けたことを特徴とする簡易男子トイレ。
【請求項５】
請求項４に記載した簡易男子トイレであって、前記正面板の前記奥面に切断部と倒折曲線を設け、前記奥面の一部を前記倒折曲線により折曲げてこれを折倒部とし、前記折倒部を繋止部としたことを特徴とする簡易男子トイレ。
【請求項６】
請求項１〜請求項５のいずれかに記載した簡易男子トイレであって、プラスチック段ボールの材質がポリプロピレンであることを特徴とする簡易男子トイレ。
【請求項７】
請求項１〜請求項６のいずれかに記載した簡易男子トイレであって、脱着容易に取付ける構成が、以下に記載したいずれか単種類の構成又はいずれか複数種類を併用した構成、であることを特徴とする簡易男子トイレ。
（ａ）面ファスナを使用した構成
（ｂ）はめ込み部と前記はめ込み部に挿入する取付部の組合せとした構成
（ｃ）ストッパに取付部を掛ける構成
（ｄ）ホックを使用した構成
（ｅ）ベルトとバックルの組合せとした構成
（ｆ）パッチン錠を使用した構成
【請求項８】
請求項１〜請求項７のいずれかに記載した簡易男子トイレを構成する正面板、左側板及び右側板をそれぞれ折畳み、さらに、副木板を並べて重ねた状態の層状体とし、前記層状体を箱又は袋に詰めたことを特徴とする、簡易男子トイレの組立てキット。